(57)【要約】【課題】　弾球遊技機であって遊技球の転動方向に変化を与え、さらにゲーム性を高めることが可能な弾球遊技機を提供することを目的とするものである。【解決手段】　図柄表示装置に手前に設けられた傾斜面部４２ｄの下部に、永久磁石７６を取り付けた転動ユニット７０を設ける。この転動ユニット７０においては、永久磁石７６が磁石支持部７４の先端に設けられ、モータ７２が回転することにより、この磁石支持部７４が回転して傾斜面部４２ｄ上の磁界を変化させる。【選択図】　　　　図４
2004081877.tif 000002
【特許請求の範囲】
【請求項１】
遊技盤（２０）面から流入した遊技球を遊動させた後に再度遊技盤面に向けて落下させる傾斜面部（４２ｄ）を有する弾球遊技機であって、
　該傾斜面部（４２ｄ）上の遊技球の転動方向に変化を与える磁力手段（７０、８０）を配したことを特徴とする弾球遊技機。
【請求項２】
遊技盤（２０）にセンターケース（３０）を設け、該センターケース（３０）に前記傾斜面部（４２ｄ）及び前記磁力手段（７０、８０）を設けたことを特徴とする請求項１に記載の弾球遊技機。
【請求項３】
前記磁力手段は、電気的動力によって可動することを特徴とする請求項１又は２に記載の弾球遊技機。
【発明の詳細な説明】
【技術分野】
【０００１】
　本発明は、弾球遊技機に関するものであり、特に、図柄表示装置の下部側に設けられた傾斜面とこれの附属物に関するものである。
【背景技術】
【０００２】
　従来、弾球遊技機においては、図柄表示装置前面にいわゆるセンターケースが設けられている場合がある。このセンターケースは、遊技球の経路を変化させてゲーム性を高める目的で設けられている。そして、そのセンターケースには一般的に傾斜板が配設されている。
【発明の開示】
【発明が解決しようとする課題】
【０００３】
　しかし、従来の技術においては、遊技球は傾斜板上を単調に移動していたため動きの変化に乏しくゲーム性を欠いていた。
【０００４】
　そこで、本発明は、遊技球の転動方向に意外性を持たせた変化を与え、ゲーム性をさらに高めることが可能な弾球遊技機を提供することを目的とする。
【課題を解決するための手段】
【０００５】
　本発明は上記問題点を解決するために創作されたものであって、第１には、遊技盤面から流入した遊技球を遊動させた後に再度遊技盤面に向けて落下させる傾斜面部を有する弾球遊技機であって、該傾斜面部上の遊技球の転動方向に変化を与える磁力手段を配したことを特徴とする。よって、傾斜面部上の遊技球の転動方向に変化を与える磁力手段が取り付けられているため、傾斜面部に到達した遊技球の転動方向に変化を与え、遊技球の動きを予測できないものとしてゲーム性を高めることが可能になる。
【０００６】
　また、第２には、上記第１の構成において、遊技盤にセンターケースを設け、該センターケースに前記傾斜面部及び前記磁力手段を設けたことを特徴とする。よって、この磁力手段は、センターケースに一体に設けられているので、遊技盤への取付けに際して磁力手段を取り付ける工程が別途必要になることがない。
【０００７】
　また、第３には、第１又は第２の構成において、前記磁力手段は、電気的動力によって可動することを特徴とする。よって、磁界を逐次変化させることができて、遊技球の移動方向が意外な方向に変化するようになることにより、遊技球の移動方向の予測がつかず、ゲーム性をさらに高めることが可能になる。
【発明の効果】
【０００８】
　本発明に基づく弾球遊技機によれば、傾斜面部上の遊技球の転動方向に変化を与える磁力手段を配しているので、遊技球に変化を与え、ゲーム性を高めることが可能になる。また、磁力手段を電気的動力により可動することにより、磁界を逐次変化させることができて、遊技球の移動方向が意外な方向に変化するようになることにより、遊技球の移動方向の予測がつかず、ゲーム性をさらに高めることが可能になる。
【発明を実施するための最良の形態】
【０００９】
　本発明においては、遊技球の転動方向に意外性を持たせた変化を与え、ゲーム性をさらに高めることが可能な弾球遊技機を提供するという目的を以下のようにして実現した。
【実施例１】
【００１０】
　本発明の実施の形態としての実施例１を図面を利用して説明する。本発明に基づく弾球遊技機Ａ１においては、図１に示されるように、前枠１０、ガラス枠２２等が設けられている。
【００１１】
　前枠１０には、受け皿１２、ハンドル１４、遊技盤２０等が設けられている。該前枠１０は外枠に対して開閉可能である。
【００１２】
　また、遊技盤２０には、その略中心位置に、内部にＬＥＤランプ等の光源を備えた遊技状態演出用としてのセンターケース３０が設けられている。また、センターケース３０の後側には、図柄表示装置６０が設けられている。なお、この遊技盤２０の背面には、ベニヤ裏カバー（図示せず）等が設けられている。
【００１３】
　センターケース３０は、図２に示すように、ドーム状部３２と、窓状部４０とを有している。このドーム状部３２は略蒲鉾状の形状を呈しており、前面部３４と、上面部３６とを有している。前面部３４は略半円状の形状を呈しており、遊技盤２０と略平行に設けられている。また、上面部３６は、前面部３４から連設され、半円状に湾曲して形成されている。このドーム状部３２には両端に取付け部３８が突設されており、この取付け部３８によってドーム状部３２が遊技盤２０にネジ止め可能となっている。このドーム状部３２には、後述するワープ５０ａ、５０ｂのワープ入口５２ａ、５２ｂや、遊技球通路５４ａ、５４ｂの一部が設けられている。
【００１４】
　また、窓状部４０は、略筒状を呈し、内側には、図３に示すように、内側側壁部４２ａ、４２ｂと、内側上壁部４２ｃと、傾斜面部４２ｄとが設けられている。また、窓状部４０の外側には、図２、図４に示すように、外側側壁部４４ａ、４４ｂと、外側上壁部４４ｃと、底壁部４４ｄとが設けられている。
【００１５】
　ここで、傾斜面部４２ｄは、略長方形状を呈しており、図２に示すように、水平方向に対して前下方にθの角度に傾斜している。この傾斜面部４２ｄは、遊技球Ｐが遊動するいわゆるステージとして機能する。該傾斜面部４２ｄを有する傾斜板部と底壁部４４ｄ間の空間は、図４に示すように、後述する転動ユニット７０を配設するための空間として利用されている。
【００１６】
　また、窓状部４０の前方側には、枠状部４８が設けられている。この枠状部４８の４角には、取付け孔を有する取付け部４８ａが設けられている。また、窓状部４０の後側には、透明板部４６が設けられている。つまり、この透明板部４６の後には、図柄表示装置６０が設けられており、図柄表示装置６０における図柄が視認できるように、該透明板部４６が配設されているのである。
【００１７】
　また、センターケース３０には、ワープ５０ａ、５０ｂが設けられている。ワープ５０ａは、ワープ入口５２ａと、遊技球通路５４ａと、ワープ出口５６ａとを有している。ワープ入口５２ａと、遊技球通路５４ａと、ワープ出口５６ａとにおける内径は、遊技球Ｐが通過できる程度の大きさを有している。遊技球通路５４ａは、ワープ入口５２ａから連設されており、センターケース３０内に外部から視認できないように設けられている。つまり、該遊技球通路５４ａは、前記ドーム状部３２内の空間から、内側上壁部４２ｃと外側上壁部４４ｃ間の空間を通り、内側側壁部４２ａと外側側壁部４４ａ間の空間に続いている。この遊技球通路５４ａの終端には、ワープ出口５６ａが設けられている。このワープ出口５６ａは、内側側壁部４２ａの下端でかつ後端に設けられている。
【００１８】
　また、ワープ５０ｂはワープ５０ａと略左右対称に設けられている。つまり、ワープ５０ｂは、ワープ入口５２ｂと、遊技球通路５４ｂと、ワープ出口５６ｂとを有している。ワープ入口５２ｂと、遊技球通路５４ｂと、ワープ出口５６ｂとにおける内径は、遊技球Ｐが通過できる程度の大きさを有している。遊技球通路５４ｂは、ワープ入口５２ｂから連設されており、センターケース３０内に外部から視認できないように設けられている。この遊技球通路５４ｂの終端には、ワープ出口５６ｂが設けられている。このワープ出口５６ｂは、内側側壁部４２ｂの下端でかつ後端に設けられている。
【００１９】
　また、センターケース３０の下部、すなわち、傾斜面部４２ｄの下側には、上記磁力手段としての転動ユニット７０が設けられている。この転動ユニット７０は、図３、図４に示すように、モータ７２、磁石支持部７４、永久磁石７６等を有している。モータ７２はモータシャフト７２ａを有し、該モータシャフト７２ａはジョイント７２ｂに圧入されている。また、磁石支持部７４は三方向に設けられたアームからなり、各アームはそれぞれ略１２０度の角度をなしている。この磁石支持部７４の中心には挿通穴が設けられており、また、ジョイント７２ｂにはねじ穴が設けられている。つまり、磁石支持部７４は、ねじ７２ｃを該ねじ穴に螺着することにより、ジョイント７２ｂに固着されている。磁石支持部７４における各アームの先端には、永久磁石７６が装着されている。また、この転動ユニット７０は、図示しない制御部に接続され、モータ７２の回転方向を制御できるようになっている。
【００２０】
　なお、底壁部４４ｄの上面は、部分的に傾斜部４４ｄ−１（図４参照）が設けられ、該傾斜部４４ｄ−１に転動ユニット７０が配置されることにより、傾斜面部４２ｄと磁石支持部７４とが平行になるようになっている。
【００２１】
　また、センターケース３０の下部には、図１及び図２に示すように、始動口６５が設けられ、該始動口６５とセンターケース３０の間には、一対の釘６７ａ、釘６７ｂが設けられている。
【００２２】
　次に本実施例の作動及び効果について説明する。モータ７２が駆動されると、磁石支持部７４が回転する。磁石支持部７４が回転することにより、該磁石支持部７４の先端に取り付けられている永久磁石７６も移動するため、傾斜面部４２ｄ上には磁場の変化が起こる。
【００２３】
　図示しない発射装置によって発射された遊技球Ｐは、遊技盤２０の遊技領域に至り、場合によりワープ入口５２ａ、５２ｂに入る。このワープ入口５２ａ、５２ｂに入った遊技球Ｐは、遊技球通路５４ａ、５４ｂを経て、ワープ出口５６ａ、５６ｂを通過し、傾斜面部４２ｄ上に現れる。そして、傾斜面部４２ｄが水平方向に対して前下方に角度θで傾斜していることから該遊技球Ｐは前方に転動する。このとき永久磁石７６の回転移動によって生じる傾斜面部４２ｄ上の磁場の変化の影響を受け、該遊技球Ｐの遊動経路は例えば図５に示す矢印のように変化する。なお、該永久磁石７６の磁力は、遊技球Ｐが傾斜面部４２ｄ上を落下するのに支障のない程度の強さである。傾斜面部４２ｄから落下した遊技球Ｐは、釘６７ａ、釘６７ｂ間を通過して始動口６５に入ったり、又は、遊技盤２０における遊技領域を落下することになる。
【００２４】
　本実施例における弾球遊技機Ａ１によれば、転動ユニット７０が設けられているため、傾斜面部４２ｄ上を移動する遊技球Ｐは、転動ユニット７０からの磁力によりその移動方向に変化が与えられ、遊技球Ｐの動きを予測できないものとしてゲーム性を高めることが可能になる。特に、永久磁石７６を取り付けた磁石支持部７４が回転することにより、傾斜面部４２ｄ上の磁界も逐次変化するため、遊技球Ｐは意外な方向に移動して遊技球Ｐの動きが予測できなくなり、ゲーム性をより高めることができる。特に、転動ユニット７０が傾斜面部４２ｄの下部に隠されているため、遊技球の転動方向が傾斜面部４２ｄ上のどの部分でどの方向に変化するか予測がつかないため、ゲーム性がより高まることになる。また、永久磁石７６を用いることにより、簡略、かつ安価な磁力手段を用いることができる。
【実施例２】
【００２５】
　次に、実施例２における弾球遊技機について説明する。この実施例２の弾球遊技機Ａ２は、上記実施例１の弾球遊技機Ａ１と略同様の構成であるが、上記実施例１の弾球遊技機Ａ１が、傾斜面部４２ｄ上の磁界の変化を及ぼす磁力手段として永久磁石を有するのに対して、この実施例２の弾球遊技機においては、電磁石を用いる点が相違する。
【００２６】
　すなわち、傾斜面部４２ｄ上には、図６に示すように、上記磁力手段としての複数の磁力ユニット８０が設けられている。つまり、この磁力ユニット８０内には、鉄芯にコイルを巻回した電磁石が設けられている。磁力ユニット８０の数、大きさ、形状は、傾斜面部４２ｄ上を通過する遊技球Ｐの妨げにならない程度で、かつ、図柄表示装置６０を視認する際の支障にならない程度に設定されている。
【００２７】
　次に本実施例の作動及び効果について説明する。傾斜面部４２ｄに取り付けられたそれぞれの磁力ユニット８０に適宜に電流を流すことにより、傾斜面部４２ｄ上に磁場が発生する。特に、通電を行う磁力ユニット８０をランダムに変更することにより、磁界がランダムに変化することになる。
【００２８】
　よって、ワープ出口５６ａ、５６ｂから傾斜面部４２ｄ上に現れた遊技球Ｐは、角度θで前方に傾斜している傾斜面部４２ｄ上を転動しつつ、磁力ユニット８０によって生じている磁場の変化を受け、その移動経路が変化する。また、磁力ユニット８０も傾斜面部４２ｄ上に突設されているので、遊技球Ｐがこの磁力ユニット８０に接することによっても遊技球Ｐの移動経路が変化することになる。
【００２９】
　このように、磁力ユニット８０が設けられているため、傾斜面部４２ｄ上を移動する遊技球Ｐは、磁力ユニット８０からの磁力により移動方向に変化が与えられ、遊技球Ｐの動きを予測できないものとしてゲーム性を高めることが可能になる。特に、通電を行う磁力ユニット８０をランダムに変更することにより、傾斜面部４２ｄ上の磁界も逐次変化するため、遊技球Ｐは意外な方向に移動して遊技球Ｐの動きが予測できなくなり、ゲーム性をより高めることができる。なお、複数の磁力ユニット８０については、例えば、複数の磁力ユニット８０を同時に通電し続けてもよいし、順番に通電する磁力ユニット８０を変更するようにしてもよい。
【００３０】
　なお、上記の実施例２の説明においては、電磁石を設けた磁石ユニット８０を傾斜面部４２ｄ上に突設させるものとして説明したが、これには限られず、複数の該磁石ユニット８０を傾斜面部４２ｄから突設させずに、傾斜面部４２ｄをなす傾斜板部の下側に設けるようにしてもよい。つまり、複数の磁力ユニット８０を備えた磁力発生装置を傾斜面部４２ｄの下部に設けて、その複数の磁力ユニット８０における電磁石を通電して駆動させるのである。
【００３１】
　また、上記複数の磁力ユニット８０については、複数の磁力ユニット８０を同時に通電し続けてもよいし、順番に通電する磁力ユニット８０を変更してもよいし、また、ランダムに変更するようにしてもよい。また、上記実施例１における転動ユニット７０における永久磁石７６の代わりに電磁石を取り付けるようにし、その電磁石を回転させて磁界に変化を与えるようにしてもよい。
【図面の簡単な説明】
【００３２】
【図１】本発明の実施例１に基づく弾球遊技機の構成を示す構成図である。
【図２】センターケースの構成を示す斜視図である。
【図３】傾斜板及び転動ユニットの構成を示す要部拡大図である。
【図４】傾斜板及び転動ユニットの構成を示す要部側面図である。
【図５】磁力ユニットの作動を示す説明図である。
【図６】実施例２に基づくセンターケースの構成を示す斜視図である。
【符号の説明】
【００３３】
　Ａ１、Ａ２　弾球遊技機
　１０　前枠
　２０　遊技盤
　３０　センターケース
　４２ｄ　傾斜面部
　７０　転動ユニット
　７６　永久磁石
　８０　磁力ユニット
【図１】
2004081877.tif 000003
【図２】
2004081877.tif 000004
【図３】
2004081877.tif 000005
【図４】
2004081877.tif 000006
【図５】
2004081877.tif 000007
【図６】
2004081877.tif 000008